(57)【要約】【課題】手差しで挿入される媒体に印刷する場合に、時間が短縮できる画像形成装置を提供しようとするものである。【解決手段】本発明の一実施形態の画像形成装置は、画像形成機構、センサ、およびコントローラを含む。画像形成機構は、媒体上への画像形成中にその媒体が機構を通って移動される第１の媒体経路と、媒体が手差しで挿入され媒体上への画像形成中に機構内で静止したままである第２の媒体経路とを含む。媒体は画像形成装置に手差しで挿入され、媒体上への画像形成中に装置内で静止したままである。センサは媒体の手差し挿入を検出し、コントローラは、センサが媒体の手差し挿入を検出することに応答して、画像形成機構に、媒体上に画像を形成させる。【選択図】図１
2005104150.tif 000002
【特許請求の範囲】
【請求項１】
媒体が手差しで挿入され、前記媒体上に画像を形成する間前記媒体が静止したままである画像形成装置であって、
前記媒体上に画像を形成する間前記媒体を移動させる第１の媒体経路と、前記媒体が手差しで挿入され前記媒体上に画像を形成する間静止したままである第２の媒体経路とを備えた、媒体上に画像を形成する画像形成機構と、
前記媒体の手差し挿入を検出するセンサと、
前記センサが前記媒体の手差し挿入を検出することに応答して、前記画像形成機構が前記媒体上に画像を形成する、コントローラと
を有することを特徴とする画像形成装置。
【請求項２】
前記第２の媒体経路内へ前記媒体を手差し挿入すると、前記媒体が前記プリントヘッドの下に配置されるように、前記第２の媒体経路は、前記画像形成機構のプリントヘッドの下まで延びており、前記プリントヘッドの下で前記媒体は、前記プリントヘッドが前記媒体上に前記画像を形成する間静止したままであることを特徴とする、請求項１に記載の画像形成装置。
【請求項３】
前記センサは、前記媒体が前記第２の媒体経路内で手差しで挿入されることによって作動し、前記媒体が前記第１の媒体経路内で前記画像形成機構を通って移動することよって邪魔にならないところへ回転する回転スイッチを備えることを特徴とする、請求項１に記載の画像形成装置。
【請求項４】
前記画像形成機構と、前記センサと、前記コントローラとが配置されるハウジングであって、前記画像形成装置の前記第２の媒体経路を露出するスロットを形成するハウジングをさらに備えることを特徴とする、請求項１に記載の画像形成装置。
【請求項５】
前記画像形成機構は、媒体を横切って移動して画像を形成することができるプリントヘッドを備え、前記プリントヘッドがスワスごとに前記媒体上に画像を形成するように、前記プリントヘッドが、前記媒体の前記スワスに対応するプリント高さを有することを特徴とする、請求項１に記載の画像形成装置。
【請求項６】
手差しで挿入される前記媒体上に前記画像形成機構によって形成される前記画像は、画像形成ジョブごとに変化しない所定の固定画像であることを特徴とする、請求項１に記載の画像形成装置。
【請求項７】
手差しで挿入される前記媒体上に前記画像形成機構によって形成される前記画像は、画像形成ジョブごとに変化することができる動的画像であることを特徴とする、請求項１に記載の画像形成装置。
【請求項８】
手差しで挿入される前記媒体上に前記画像形成機構によって形成される前記画像を記憶し、前記画像形成装置がホストコンピューティングデバイスに通信可能に結合する必要なしに、手差しで挿入される前記媒体上に前記画像を形成することができる、コンピュータ可読媒体をさらに備えることを特徴とする、請求項１に記載の画像形成装置。
【請求項９】
前記画像形成装置をホストコンピューティングデバイスに通信可能に結合し、手差しで挿入される前記媒体上に前記画像形成機構によって形成される前記画像を、少なくとも最初は受け取る、通信機構をさらに備えることを特徴とする、請求項１に記載の画像形成装置。
【請求項１０】
手差しで挿入される前記媒体は封筒であり、手差しで挿入される前記媒体上に形成される前記画像は差出人住所であることを特徴とする、請求項１に記載の画像形成装置。
【発明の詳細な説明】
【技術分野】
【０００１】
本発明は、画像形成装置に関し、特に媒体が手差しで挿入され画像形成中は静止したままである画像形成装置に関する。
【背景技術】
【０００２】
インクジェットプリンタ、レーザープリンタ、及びその他のタイプのプリンタは、媒体上に印刷するのに一般に普及してきた。プリンタは、より一般的には、媒体上に画像を形成する画像形成装置である。プリンタは通常、さまざまな媒体を受け入れる。普通紙上に印刷するのが最も一般的であるので、大部分のユーザは、通常、プリンタの媒体トレイまたは引出し内に普通紙のスタックを装填する。プリンタは、プリントジョブを出力すると、通常自動的にトレイまたは引出しから紙の個々のシートをピックアップし、プリンタを通ってそれぞれのシートを移動させる間にシート上に印刷する。
【０００３】
あまり一般的に用いられない媒体の場合、標準装備の媒体トレイまたは引出しと比較して装填できる媒体シート数の少ない、折り畳み式の媒体トレイを備えるプリンタが多い。封筒、写真媒体、光沢媒体、レターヘッド、およびその他のタイプのあまり用いられない媒体は、通常この第２の折り畳み式の媒体トレイ内に装填される。プリンタは、この場合もまた、この第２のトレイからシートを自動的にピックアップし、プリンタを通ってそれぞれのシートを移動させる間にシート上に印刷する。
【０００４】
しかし、プリンタの第２の媒体トレイを用いることができても、特別なタイプの媒体、特に封筒に印刷するのは不便な可能性がある、ということがわかっているユーザは多い。例えばユーザは、簡単な差出人住所を封筒上に印刷したい場合であっても、コンピュータが常時オンではない場合には、まず、コンピュータの電源を入れて立ち上がるのを待たなければならない。次にユーザは、プリンタ内に封筒が装填されており装填の向きが適切である、ということを確認しなければならない。最後にユーザは、文書処理プログラム等のアプリケーションプログラムを実行し、差出人住所を打ち込むかまたはファイルからその住所を読み込み、プリンタにプリントジョブを出力しなければならない。
【０００５】
このようなさまざまな段階を行うことは時間がかかる可能性があるので、自分のプリンタが提供している媒体操作機能を利用する気にならないユーザが多く、代わりにこのようなユーザは、差出人住所を封筒上に手書きしたり、あらかじめ宛名を書いた住所ラベルやゴムスタンプを用いることに頼る。
【発明の開示】
【発明が解決しようとする課題】
【０００６】
手差しで挿入される媒体に印刷する場合に、時間が短縮できる画像形成装置を提供しようとするものである。
【課題を解決するための手段】
【０００７】
本発明の一実施形態の画像形成装置は、画像形成機構、センサ、およびコントローラを含む。画像形成機構は、媒体上に画像を形成する。機構は、媒体上への画像形成中にその媒体が機構を通って移動される第１の媒体経路と、媒体が手差しで挿入され媒体上への画像形成中に機構内で静止したままである第２の媒体経路とを含む。媒体は画像形成装置に手差しで挿入され、媒体上への画像形成中に装置内で静止したままである。センサは媒体の手差し挿入を検出し、コントローラは、センサが媒体の手差し挿入を検出することに応答して、画像形成機構に、媒体上に画像を形成させる。
【発明を実施するための最良の形態】
【０００８】
本明細書において参照する図面は、明細書の一部を形成する。図面において示す特徴は、別途明確に示されない限り、本発明のすべての実施形態ではなく本発明のいくつかの実施形態のみを示すことが意図されている。
【０００９】
本発明の例示的実施形態の以下の詳細な説明において、その一部を形成し、実例として本発明を実施することができる具体的な例示的実施形態を示す、添付図面を参照する。このような実施形態は、当業者が本発明を実施することができるようにするのに十分詳細に説明されている。その他の実施形態を利用してもよく、本発明の精神または範囲から逸脱することなく論理的、機械的、およびその他の変更を行ってもよい。したがって、以下の詳細な説明は、限定する意味で解釈してはならず、本発明の範囲は添付の特許請求項によってのみ規定される。
（画像形成装置）
図１は、本発明の実施形態による画像形成装置１００の斜視図を示す。画像形成装置１００は、インクジェットプリンタ等のインクジェットプリント装置であってもよく、異なるタイプの画像形成技術を利用する他のタイプのプリント装置であってもよい。画像形成装置１００は、内部に装置１００の内部構成要素が配置されるハウジング１０２を含む。画像形成装置１００は、媒体供給源を収容する媒体引出し１０３を含む。通常の画像形成中、装置１００は、媒体シートを引出し１０３からピックアップし、装置１００内の媒体経路を通って移動させ、媒体経路を通って移動させている間にその媒体シート上に画像を形成し、次にハウジング１０２内のスロット１０４または開口部を通って媒体シートを出力する。
【００１０】
本発明の一実施形態において、ユーザはまた、媒体をガイド１０６の上に案内して、画像形成装置１００のスロット１０４に媒体を手差しで挿入することもできる。ガイドによって、確実に媒体が装置１００内で適切に位置合せされるようにし、媒体上の画像形成を位置合わせする。ユーザは、媒体をガイド１０６の縁に当たった状態で挿入して、媒体をスロット１０４へと適切に位置合わせすることができる。図１には明示していないが、ガイドは、スロット１０４への媒体の挿入が深くなり過ぎないようにし、媒体が引出し１０３からピックアップされる通常の画像形成中の媒体の出力には影響を及ぼさない、止め具を含んでもよい。画像形成装置１００は、媒体をスロット１０４に挿入した後、媒体が装置１００内で静止したままである間に、媒体の、スロット１０４に挿入された部分の上に画像を形成する。
【００１１】
発光ダイオード（ＬＥＤ）または他のタイプの光源等のインジケータ１０８が点灯して、画像形成が完了したということを示し、ユーザが次に、画像形成装置１００のスロット１０４から媒体を手作業で取り外すことができるようになっている。または、インジケータ１０８が点灯して画像形成が開始されたということを示し、ユーザに、媒体が適切にスロット１０４に挿入されたことを示して、いったん画像形成が完了するとインジケータ１０８が消えるようになっていてもよい。ユーザがスロット１０４への媒体の挿入を開始してから画像形成が開始されるまでに短時間の遅延があって、ユーザがスロット１０４に媒体を完全に挿入するまで画像形成が開始されないようにしてもよい。
【００１２】
媒体の、画像形成装置１００のスロット１０４に手差しで挿入された部分の上に形成される画像は、一実施形態において差出人住所であってもよく、その場合、スロット１０４に手差しで挿入される媒体は封筒である。差出人住所は、画像形成装置１００の内部に記憶されていてもよい。これは、封筒上に差出人住所を印刷するのに、装置１００に通信可能に接続されているかもしれないデスクトップまたはラップトップのコンピュータ等のホストコンピューティングデバイスの電源をユーザが入れる必要がない、ということを意味する。画像形成装置１００の電源が入っている限り、ホスト装置が存在するかどうかさえ関係なく、媒体をスロット１０４に手差しで挿入して、媒体が画像形成装置１００内で静止したままである間に、その上に画像形成を行うことができる。
【００１３】
図２Ａないし図２Ｃおよび図３Ａないし図３Ｃは、本発明の実施形態による、画像形成装置１００に手差しで挿入された静止した媒体上への画像形成プロセスを説明的に示す。図２Ａないし図２Ｃは、画像形成装置１００の正面図から画像形成プロセスを示し、図３Ａないし図３Ｃは、画像形成装置１００の側断面図からこのプロセスを示す。図２Ａないし図２Ｃおよび図３Ａないし図３Ｃの、同様の文字のついた図は、プロセスの同一の段階すなわち行為を表す。例えば、図２Ａと図３Ａとは、プロセスの最初の段階すなわち行為を表し、図２Ｂと図３Ｂとは、プロセスの中間の段階すなわち行為を表し、図２Ｃと図３Ｃとは、プロセスの最後の段階すなわち行為を表す。
【００１４】
図２Ａおよび図３Ａにおいて、矢印２０６で示すように、ユーザ２０４は画像形成装置１００のハウジング１０２のスロット１０４に、封筒媒体２０２を手差しで挿入している。スロット１０４は、装置１００内への媒体２０２の手差し挿入用の、画像形成装置１００内の媒体経路３０２を露出している。画像形成装置１００のハウジング１０２内にはプリントヘッド３０４が配置されている。プリントヘッド３０４は、装置１００の画像形成機構の一部である。自在回転するスイッチ３０６もまた、画像形成装置１００のハウジング１０２内に配置されている。
【００１５】
図２Ｂおよび図３Ｂにおいて、ユーザ２０４は封筒媒体２０２を、画像形成装置１００のハウジング１０２のスロット１０４に挿入している。したがって媒体２０２は、媒体経路３０２に挿入されていて、媒体２０２の一部が、プリントヘッド３０４の下にある、またはプリントヘッド３０４に隣接するようになっている。矢印３０８で示すように、媒体２０２の手差し挿入によって、自在回転するスイッチ３０６が作動している。スイッチ３０６が媒体２０２の挿入を検出し、その結果、画像形成装置１００が媒体２０２上に画像を形成する。すなわち、プリントヘッド３０４は、媒体２０２を１回またはそれよりも多くの回数横切って移動し、その上に、差出人住所等の画像を形成する。図３Ｂにおけるプリントヘッド３０４の移動は、図３Ｂの平面と垂直である。プリントヘッド３０４が移動して媒体２０２上に画像を形成する間、媒体２０２は静止したままである。
【００１６】
図２Ｂおよび図３Ｂには明確に示していないが、スイッチ３０６の頂部には、スロット１０４への媒体２０２の挿入が深くなり過ぎないようにするアームが取り付けられていてもよい。さらに、スイッチ３０６は、図２Ｂおよび図３Ｂに示す機械的スイッチの代わりに、光スイッチであって、媒体とスイッチ３０６との物理的接触が結果として生じないようになっていてもよい。さらに、いったん媒体２０２が適切にスロット１０４に挿入されると、図２Ｂおよび図３Ｂには明確に示していないオプションのクランプ機構が、媒体２０２上への画像形成中に媒体２０２を締め付けて保持してもよい。
【００１７】
図２Ｃおよび図３Ｃにおいて、矢印２１０で示すように、ユーザ２０４は画像形成装置１００のインジケータ１０８の点灯によって注意を喚起され、ユーザ２０４が現時点では画像形成装置１００のハウジング１０２のスロット１０４から媒体２０２を手作業で取り外すことができるようになっている。媒体２０２上には画像２０８が形成されている。画像形成装置１００からの媒体２０２の取り外しにおいて、ユーザは媒体２０２を、媒体経路３０２から、およびプリントヘッド３０４の下から取り外し、スイッチ３０６がもはや作動しないようになっている。
【００１８】
図４Ａおよび図４Ｂは、本発明の実施形態による、画像形成装置１００を用いて図１の引出し１０３から装填される媒体４０２上に画像を形成しているときの、装置１００の側断面図を示す。引出し１０３から装填される紙媒体４０２または他のタイプの媒体を、画像形成装置１００を通って、ローラ４０４のまわりを、およびプリントヘッド３０４の下で移動させることのできる他の媒体経路４１２が画定される。ローラ４０４は、画像形成装置１００の媒体移動機構の一部である。画像形成装置１００はここでも、自在回転するスイッチ３０６を含む。
【００１９】
特に図４Ａにおいて、紙媒体４０２は、画像形成装置１００の媒体経路４１２を通って移動し始めている。特に図４Ｂにおいて、矢印４０８で示すようにローラ４０４は、矢印４０６で示す自らの回転動作によって、紙媒体４０２を、媒体経路４１２を通りプリントヘッド３０４の下で、回転させる。矢印４１０で示すように、自在回転するスイッチ３０６は邪魔にならないところに回転し、媒体４０２が媒体経路４１２を通って移動する間スイッチ３０６が作動せず、媒体４０２の移動に著しく影響を及ぼすことがないようにしている。すなわち、媒体４０２が図１の引出し１０３からピックアップされる通常の画像形成中には、スイッチ３０６が媒体４０２に著しく影響を及ぼしたり当たることはない。
【００２０】
画像形成は、画像形成装置１００のプリントヘッド３０４によって、スワスごとに行われる。すなわち、媒体４０２の１つのスワス、すなわち一部、がプリントヘッド３０４の下に移動し、プリントヘッド３０４は媒体４０２のそのスワスの上で移動して、媒体４０２上に画像の一部を形成する。媒体４０２は再び自動的に移動して、媒体４０２の次のスワスをプリントヘッド３０４の下に露出し、プリントヘッド３０４は媒体４０２のこのスワス上に画像の別の一部を形成する。媒体４０２上に画像が完全に形成されるまで、このプロセスが繰り返される。すなわち、媒体４０２上への画像形成は、媒体４０２が画像形成装置１００を通って移動している間に、図４Ａおよび図４Ｂに説明的に示すプロセスで行われる。
【００２１】
図５Ａおよび図５Ｂは、本発明の実施形態によるスワスごとの、画像形成装置１００による画像形成を説明的に示す。図５Ａは画像形成プロセスの正面図であり、図５Ｂはプロセスの平面図である。画像形成装置１００のプリントヘッド３０４を図５Ａおよび図５Ｂに示し、説明が理解しやすいように、装置１００の他の構成要素は示していない。本発明の一実施形態において、プリントヘッド３０４は具体的にはインク噴射プリントヘッド等のインクジェットプリントヘッド３０４であり、インク５０４を噴射してスワスごとに媒体５０２上に画像を形成する。
【００２２】
特に図５Ａにおいて、プリントヘッド３０４はプリント高さ５１２を有する。これは、一度にインク５０４を噴射することができる距離である。特に図５Ｂにおいて、矢印５０８、５１０で示すように、プリントヘッド３０４は媒体５０２のスワス５０６の上で移動する。プリントヘッド３０４は、媒体５０２のスワス５０６の上で移動するときに、スワス５０６の高さ５１４が図５Ａに示すプリントヘッド３０４の高さ５１２に対応するよう、インクを噴射する。
【００２３】
媒体５０２が、画像形成装置１００のスロット１０４を通って図３Ａないし図３Ｃの媒体経路３０２に挿入される場合、媒体５０２は、画像形成プロセス中に静止したままである。これは、媒体５０２上に形成される画像の高さが、媒体スワス５０６の高さ５１４およびプリントヘッド３０４の高さ５１２に対応している、ということを意味する。これは、画像形成プロセス中最初から終わりまで、媒体５０２は静止したままだからである。
【００２４】
これと対照的に、画像形成装置１００の図４Ａおよび図４Ｂの媒体経路４１２を通って媒体５０２が移動し、媒体５０２が、図１のスロット１０４に手差しで挿入される代わりに図１の引出し１０３からピックアップされるようにする場合には、画像形成プロセス中に媒体５０２が移動する。これは、プリントヘッド３０４が媒体スワス５０６上にインクを噴射した後、媒体５０２が移動して、異なる媒体スワスをプリントヘッド３０４の高さ５１２の下に露出し、プリントヘッド３０４がこの新しい媒体スワス上にインクを噴射する、ということを意味する。媒体５０２上に画像が完全に形成されるまで、このプロセスが繰り返される。この画像はスワスごとに形成されるので、媒体５０２のそれぞれの媒体スワスの上に適宜インクが噴射されることができるよう、媒体５０２が移動される。
【００２５】
図６は本発明の実施形態による画像形成装置１００のブロック図を示す。当業者には理解できるように、画像形成装置１００は、図６に示すものに付け加えておよび／またはその代わりに、他の構成要素を含んでもよい。図６に画像形成装置１００を、画像形成機構６０２、センサ３０６、コントローラ６０４、通信機構６０６、およびコンピュータ可読媒体６０８を含んで示す。
【００２６】
画像形成機構６０２は、画像形成装置１００の、媒体上に画像が形成できるようにする構成要素を含む。例えば画像形成機構６０２は、説明したプリントヘッド３０４を含んでもよい。一実施形態において、画像形成機構６０２はインクジェットプリント機構であり、画像形成装置１００はインクジェットプリント装置である。センサ３０６は、画像形成装置１００への媒体の手差し挿入を検出し、その場合そのような媒体は、その上への画像形成機構６０２による画像形成中に、装置１００内で静止したままである。すなわち、センサ３０６は、画像形成機構６０２の下等、画像形成機構６０２に隣接して媒体が配置されるのを検出する。一実施形態において、センサ３０６は、説明したスイッチ３０６である。
【００２７】
コントローラ６０４は、ハードウェア、ソフトウェア、またはハードウェアとソフトウェアとの組合せであってもよい。コントローラ６０４は、図１のハウジング１０２内に配置されてもよい。コントローラ６０４は、画像形成装置１００への媒体の手差し挿入を検出するセンサ３０６に応答して、画像形成機構６０２に、装置１００に手差しで挿入される媒体上に画像を形成させる。通信機構６０６は、画像形成装置１００の、装置１００がデスクトップまたはラップトップのコンピュータ等のホストコンピューティングデバイスと通信または通信可能に結合できるようにする、構成要素を含む。通信機構６０６は、ホスト装置と有線接続を行ってもよく、無線接続を行ってもよい。
【００２８】
コンピュータ可読媒体６０８は、不揮発性半導体や磁気媒体等の不揮発性媒体であってもよい。媒体６０８は、画像形成装置１００に手差しで挿入される媒体上に形成される画像を記憶することができる。この画像は、最初にユーザによって、通信機構６０６を介して画像形成装置１００に通信可能に結合したホストコンピューティングデバイス上に入力されてもよい。その後、この画像は媒体６０８上に記憶され、ホスト装置の電源が入っているかまたはホスト装置が画像形成装置１００に接続されている必要なしに、画像形成装置１００に手差しで挿入される媒体上に装置１００が画像を形成することができるようになる。または、装置１００の基本的なキーボードまたは１組の制御装置で入力されるテキストデータ等の装置１００に手差しで挿入される媒体上に形成される画像を、ユーザが入力できるようにする入力機構を、画像形成装置１００自体が含んでもよい。
【００２９】
したがって画像は、いったん画像形成装置１００のコンピュータ可読媒体６０８上に記憶されると、画像形成ジョブごとに変化することはない、所定の固定（static）画像であってもよい。そのような固定画像の一例が差出人住所であり、これは、いったんユーザが設定すると、変化することはない。ここで、変化しないというのは、全く変化しないという場合だけでなく、通常変化しない場合も含む。しかし、または画像は、それぞれの画像形成ジョブで変化することができる動的（dynamic）画像であってもよい。そのような画像は、画像形成装置１００が通信機構６０６を介して通信可能に結合するホストコンピューティングデバイスから受け取ってもよい。または、装置１００の入力機構がユーザに、ホスト装置を用いることなく画像形成ジョブごとに画像を変化させることができるようにさせてもよい。そのような動的画像の例としては、受取人住所、バーコード、およびその他のタイプの動的画像が含まれる。受取人住所は通常、装置１００に手差しで挿入される封筒ごとに異なる。
（方法および結論）
図７は、本発明の実施形態による、手差しで挿入され画像形成プロセス中に静止したままである媒体上に画像を形成する方法７００を示す。方法７００は、発明を実施するための最良の形態のこの直前の部分で説明した画像形成装置１００によって行うことができ、画像形成装置１００に関して説明する。まず、画像形成装置１００は、媒体上に形成される画像を受け取る（７０２）。画像は例えば、画像形成装置１００に通信可能に結合したホストコンピューティングデバイスから受け取ってもよい。次に画像は、画像形成装置１００内のコンピュータ可読媒体６０８上に記憶され（７０４）、装置１００がホスト装置に通信可能に結合する必要なしに、媒体上に画像を形成することができるようになる。
【００３０】
ユーザは、画像形成装置１００の、スロット１０４等の開口部に媒体を挿入して、開口部への媒体のこの手差し挿入が検出されるようにする（７０６）。検出は、説明した、媒体の手差し挿入でスイッチ３０６が作動することによって、行われてもよい。これに応答して、画像形成装置１００は、媒体が装置内で静止したままである間に、媒体上に画像を形成する（７０８）。例えば、これは、装置１００の画像形成機構６０２の一部であるインクジェットプリントヘッド３０４を有する画像形成装置１００によって行ってもよい。したがって、プリントヘッド３０４は媒体のスワスを横切って移動する（７１０）。プリントヘッド３０４は、媒体を横切って移動する間にスワス上にインクを噴射する（７１２）。
【００３１】
本明細書において特定の実施形態を示し説明したが、当業者であれば、同じ目的を達成するよう考えられるいかなる仕組みも、示した特定の実施形態の代わりにしてもよい、ということを理解しよう、ということに留意されたい。本願は、本発明の開示した実施形態のいかなる改造または変形も包含するよう意図される。したがって本発明は、特許請求項およびその均等物によってのみ限定される、ということが明白に意図される。
【図面の簡単な説明】
【００３２】
【図１】本発明の実施形態による代表的な画像形成装置の斜視図である。
【図２Ａ】本発明の実施形態による、画像形成装置に手差しで挿入され画像形成プロセス中に静止したままである媒体に対する画像形成プロセスを示す正面図である。
【図２Ｂ】本発明の実施形態による、画像形成装置に手差しで挿入され画像形成プロセス中に静止したままである媒体に対する画像形成プロセスを示す正面図である。
【図２Ｃ】本発明の実施形態による、画像形成装置に手差しで挿入され画像形成プロセス中に静止したままである媒体に対する画像形成プロセスを示す正面図である。
【図３Ａ】本発明の実施形態による、図２Ａの画像形成プロセスを示す、図２Ａに対応する側断面図である。
【図３Ｂ】本発明の実施形態による、図２Ｂの画像形成プロセスを示す、図２Ｂに対応する側断面図である。
【図３Ｃ】本発明の実施形態による、図２Ｃの画像形成プロセスを示す、図２Ｃに対応する側断面図である。
【図４Ａ】本発明の実施形態による、画像形成プロセス中に画像形成装置を通って移動される媒体に対する画像形成プロセスを示す側断面図である。
【図４Ｂ】本発明の実施形態による、画像形成プロセス中に画像形成装置を通って移動される媒体に対する画像形成プロセスを示す側断面図である。
【図５Ａ】本発明の実施形態による、画像形成装置によって行われるスワスごとの画像形成の方法の正面図である。
【図５Ｂ】本発明の実施形態による、画像形成装置によって行われるスワスごとの画像形成の方法の平面図である。
【図６】本発明の実施形態による画像形成装置のブロック図である。
【図７】本発明の実施形態による方法のフローチャートである。
【符号の説明】
【００３３】
１００  画像形成装置
３０６  センサ
６０２  画像形成機構
６０４  コントローラ
６０６  通信機構
６０８  コンピュータ可読媒体
【図１】
2005104150.tif 000003
【図２Ａ】
2005104150.tif 000004
【図２Ｂ】
2005104150.tif 000005
【図２Ｃ】
2005104150.tif 000006
【図３Ａ】
2005104150.tif 000007
【図３Ｂ】
2005104150.tif 000008
【図３Ｃ】
2005104150.tif 000009
【図４Ａ】
2005104150.tif 000010
【図４Ｂ】
2005104150.tif 000011
【図５Ａ】
2005104150.tif 000012
【図５Ｂ】
2005104150.tif 000013
【図６】
2005104150.tif 000014
【図７】
2005104150.tif 000015